【手続補正書】
【提出日】平成24年2月2日(2012.2.2)
【手続補正１】
【補正対象書類名】明細書
【補正対象項目名】０００９
【補正方法】変更
【補正の内容】
【０００９】
上述の１以上の問題点を解決するために、本発明の情報処理装置は以下の構成を備える。すなわち、通信ネットワークに接続された情報処理装置において、ローカル記憶領域からリモート記憶領域へのコピーの対象となる第１の電子データを指定する指定手段と、前記指定手段により指定された前記第１の電子データが、第２の電子データへのリンクデータであるか否かを判定するデータ種別判定手段と、前記データ種別判定手段により、前記指定手段により指定された前記第１の電子データが前記第２の電子データへのリンクデータであると判定された場合、前記第２の電子データを前記情報処理装置が取得可能か否かを判定する取得可否判定手段と、前記取得可否判定手段により前記第２の電子データを前記情報処理装置が取得可能と判定された場合、前記第２の電子データを取得し、前記第１の電子データの代わりに前記第２の電子データを前記リモート記憶領域へコピーする、ファイル処理手段と、を備える。
【手続補正２】
【補正対象書類名】明細書
【補正対象項目名】００１０
【補正方法】変更
【補正の内容】
【００１０】
または、通信ネットワークに接続された情報処理装置において、ローカル記憶領域からリモート記憶領域へのコピーの対象となる第１の電子データを指定する指定手段と、前記指定手段により指定された前記第１の電子データが、第２の電子データへのリンクデータであるかを判定するデータ種別判定手段と、前記データ種別判定手段により、前記指定手段により指定された前記第１の電子データが、前記第２電子データへのリンクデータであると判定された場合、前記第２の電子データを格納するドライブがマウント済ネットワークドライブであるか否かを判定するパス情報判定手段と、前記パス情報判定手段が前記第２の電子データを格納するドライブがマウント済ネットワークドライブであると判定した場合、前記第１の電子データに含まれるローカルパス情報を他の装置から参照可能なユニバーサルパス情報に変換することにより得られるリンクデータを前記リモート記憶領域へコピーし、前記パス情報判定手段が前記第２の電子データを格納するドライブがマウント済ネットワークドライブでないと判定した場合、前記第１の電子データの代わりに前記第２の電子データを前記リモート記憶領域へコピーする、ファイル処理手段と、を備える。あるいは、通信ネットワークに接続された情報処理装置において、ローカル記憶領域からリモート記憶領域へのコピーの対象となる第１の電子データを指定する指定手段と、前記指定手段により指定された前記第１の電子データが、第２の電子データへのリンクデータを含む第１の構造化データであるかを判定するデータ種別判定手段と、前記データ種別判定手段により、前記指定手段により指定された前記第１の電子データが、前記第２の電子データへのリンクデータを含む前記第１の構造化データであると判定された場合、前記第２の電子データを格納するドライブがマウント済ネットワークドライブであるか否かを判定するパス情報判定手段と、前記パス情報判定手段が前記第２の電子データを格納するドライブがマウント済ネットワークドライブであると判定した場合、前記第１の構造化データに含まれるリンクデータのローカルパス情報を他の装置から参照可能なユニバーサルパス情報に変換することにより得られる電子データを前記リモート記憶領域へコピーし、前記パス情報判定手段が前記第２の電子データを格納するドライブがマウント済ネットワークドライブでないと判定した場合、前記第１の構造化データに含まれるリンクデータを前記第２の電子データに置換することにより得られる第２の構造化データを前記リモート記憶領域へコピーする、ファイル処理手段と、を備える。
【手続補正３】
【補正対象書類名】明細書
【補正対象項目名】００１１
【補正方法】変更
【補正の内容】
【００１１】
さらに、通信ネットワークに接続された情報処理装置において、ローカル記憶領域からリモート記憶領域へのコピーの対象となる第１の電子データを指定する指定手段と、前記指定手段により指定された前記第１の電子データが、第２の電子データへのリンクデータであるかを判定するデータ種別判定手段と、前記データ種別判定手段が前記指定手段により指定された前記第１の電子データが前記第２の電子データへのリンクデータであると判定した場合、前記第２電子データを格納する記憶領域が前記通信ネットワークに接続した他の端末からアクセス可能な共有記憶領域であるか否かを判定する共有判定手段と、前記共有判定手段が前記第２電子データを格納する記憶領域が共有記憶領域であると判定した場合、前記第１の電子データに含まれるローカルパス情報を他の装置から参照可能なユニバーサルパス情報に変換することにより得られるリンクデータを前記リモート記憶領域へコピーし、前記共有判定手段が前記第２電子データを格納する記憶領域が共有記憶領域でないと判定した場合、前記第１の電子データの代わりに前記第２の電子データを前記リモート記憶領域へコピーする、ファイル処理手段と、を備える。あるいは、通信ネットワークに接続された情報処理装置において、ローカル記憶領域からリモート記憶領域へのコピーの対象となる第１の電子データを指定する指定手段と、前記指定手段により指定された前記第１の電子データが、第２の電子データへのリンクデータを含む第１の構造化データであるかを判定するデータ種別判定手段と、前記データ種別判定手段が前記指定手段により指定された前記第１の電子データが前記第２の電子データへのリンクデータを含む第１の構造化データであると判定した場合、前記第２電子データを格納する記憶領域が前記通信ネットワークに接続した他の端末からアクセス可能な共有記憶領域であるか否かを判定する共有判定手段と、前記共有判定手段が前記第２電子データを格納する記憶領域が共有記憶領域であると判定した場合、前記第１の構造化データに含まれるリンクデータのローカルパス情報を他の装置から参照可能なユニバーサルパス情報に変換することにより得られる電子データを前記リモート記憶領域へコピーし、前記共有判定手段が前記第２電子データを格納する記憶領域が共有記憶領域でないと判定した場合、前記第１の構造化データに含まれるリンクデータを前記第２の電子データに置換することにより得られる第２の構造化データを前記リモート記憶領域へコピーする、ファイル処理手段と、を備える。
【手続補正４】
【補正対象書類名】特許請求の範囲
【補正対象項目名】全文
【補正方法】変更
【補正の内容】
【特許請求の範囲】
【請求項１】
通信ネットワークに接続された情報処理装置であって、
ローカル記憶領域からリモート記憶領域へのコピーの対象となる第１の電子データを指定する指定手段と、
前記指定手段により指定された前記第１の電子データが、第２の電子データへのリンクデータであるか否かを判定するデータ種別判定手段と、
前記データ種別判定手段により、前記指定手段により指定された前記第１の電子データが前記第２の電子データへのリンクデータであると判定された場合、前記第２の電子データを前記情報処理装置が取得可能か否かを判定する取得可否判定手段と、
前記取得可否判定手段により前記第２の電子データを前記情報処理装置が取得可能と判定された場合、前記第２の電子データを取得し、前記第１の電子データの代わりに前記第２の電子データを前記リモート記憶領域へコピーする、ファイル処理手段と、
を備えることを特徴とする情報処理装置。
【請求項２】
前記データ種別判定手段は、さらに、前記指定手段により指定された前記第１の電子データが、前記第２の電子データへのリンクデータを含む第１の構造化データであるか否かを判定し、
前記取得可否判定手段は、前記データ種別判定手段により、前記指定手段により指定された前記第１の電子データが前記第２の電子データへのリンクデータを含む前記第１の構造化データであると判定された場合、前記第２の電子データを前記情報処理装置が取得可能か否かを判定し、
前記ファイル処理手段は、前記取得可否判定手段により前記第２の電子データを前記情報処理装置が取得可能と判定された場合、前記第２のデータを取得し、前記第１の構造化データに含まれるリンクデータを前記第２の電子データに置換することにより得られる第２の構造化データを前記リモート記憶領域へコピーする、
ことを特徴とする請求項１に記載の情報処理装置。
【請求項３】
通信ネットワークに接続された情報処理装置であって、
ローカル記憶領域からリモート記憶領域へのコピーの対象となる第１の電子データを指定する指定手段と、
前記指定手段により指定された前記第１の電子データが、第２の電子データへのリンクデータであるかを判定するデータ種別判定手段と、
前記データ種別判定手段により、前記指定手段により指定された前記第１の電子データが、前記第２電子データへのリンクデータであると判定された場合、前記第２の電子データを格納するドライブがマウント済ネットワークドライブであるか否かを判定するパス情報判定手段と、
前記パス情報判定手段が前記第２の電子データを格納するドライブがマウント済ネットワークドライブであると判定した場合、前記第１の電子データに含まれるローカルパス情報を他の装置から参照可能なユニバーサルパス情報に変換することにより得られるリンクデータを前記リモート記憶領域へコピーし、前記パス情報判定手段が前記第２の電子データを格納するドライブがマウント済ネットワークドライブでないと判定した場合、前記第１の電子データの代わりに前記第２の電子データを前記リモート記憶領域へコピーする、ファイル処理手段と、
を備えることを特徴とする情報処理装置。
【請求項４】
通信ネットワークに接続された情報処理装置であって、
ローカル記憶領域からリモート記憶領域へのコピーの対象となる第１の電子データを指定する指定手段と、
前記指定手段により指定された前記第１の電子データが、第２の電子データへのリンクデータを含む第１の構造化データであるかを判定するデータ種別判定手段と、
前記データ種別判定手段により、前記指定手段により指定された前記第１の電子データが、前記第２の電子データへのリンクデータを含む前記第１の構造化データであると判定された場合、前記第２の電子データを格納するドライブがマウント済ネットワークドライブであるか否かを判定するパス情報判定手段と、
前記パス情報判定手段が前記第２の電子データを格納するドライブがマウント済ネットワークドライブであると判定した場合、前記第１の構造化データに含まれるリンクデータのローカルパス情報を他の装置から参照可能なユニバーサルパス情報に変換することにより得られる電子データを前記リモート記憶領域へコピーし、前記パス情報判定手段が前記第２の電子データを格納するドライブがマウント済ネットワークドライブでないと判定した場合、前記第１の構造化データに含まれるリンクデータを前記第２の電子データに置換することにより得られる第２の構造化データを前記リモート記憶領域へコピーする、ファイル処理手段と、
を備えることを特徴とする情報処理装置。
【請求項５】
通信ネットワークに接続された情報処理装置であって、
ローカル記憶領域からリモート記憶領域へのコピーの対象となる第１の電子データを指定する指定手段と、
前記指定手段により指定された前記第１の電子データが、第２の電子データへのリンクデータであるかを判定するデータ種別判定手段と、
前記データ種別判定手段が前記指定手段により指定された前記第１の電子データが前記第２の電子データへのリンクデータであると判定した場合、前記第２電子データを格納する記憶領域が前記通信ネットワークに接続した他の端末からアクセス可能な共有記憶領域であるか否かを判定する共有判定手段と、
前記共有判定手段が前記第２電子データを格納する記憶領域が共有記憶領域であると判定した場合、前記第１の電子データに含まれるローカルパス情報を他の装置から参照可能なユニバーサルパス情報に変換することにより得られるリンクデータを前記リモート記憶領域へコピーし、前記共有判定手段が前記第２電子データを格納する記憶領域が共有記憶領域でないと判定した場合、前記第１の電子データの代わりに前記第２の電子データを前記リモート記憶領域へコピーする、ファイル処理手段と、
を備えることを特徴とする情報処理装置。
【請求項６】
通信ネットワークに接続された情報処理装置であって、
ローカル記憶領域からリモート記憶領域へのコピーの対象となる第１の電子データを指定する指定手段と、
前記指定手段により指定された前記第１の電子データが、第２の電子データへのリンクデータを含む第１の構造化データであるかを判定するデータ種別判定手段と、
前記データ種別判定手段が前記指定手段により指定された前記第１の電子データが前記第２の電子データへのリンクデータを含む第１の構造化データであると判定した場合、前記第２電子データを格納する記憶領域が前記通信ネットワークに接続した他の端末からアクセス可能な共有記憶領域であるか否かを判定する共有判定手段と、
前記共有判定手段が前記第２電子データを格納する記憶領域が共有記憶領域であると判定した場合、前記第１の構造化データに含まれるリンクデータのローカルパス情報を他の装置から参照可能なユニバーサルパス情報に変換することにより得られる電子データを前記リモート記憶領域へコピーし、前記共有判定手段が前記第２電子データを格納する記憶領域が共有記憶領域でないと判定した場合、前記第１の構造化データに含まれるリンクデータを前記第２の電子データに置換することにより得られる第２の構造化データを前記リモート記憶領域へコピーする、ファイル処理手段と、
を備えることを特徴とする情報処理装置。
【請求項７】
前記ユニバーサルパス情報は、ＵＲＩまたはＵＮＣの記法を用いて記述されることを特徴とする請求項３乃至６の何れか一項に記載の情報処理装置。
【請求項８】
通信ネットワークに接続された情報処理装置の制御方法であって、
指定手段が、ローカル記憶領域からリモート記憶領域へのコピーの対象となる第１の電子データを指定する指定工程と、
データ種別判定手段が、前記指定工程により指定された前記第１の電子データが、第２の電子データへのリンクデータであるか否かを判定するデータ種別判定工程と、
取得可否判定手段が、前記データ種別判定工程により、前記指定工程により指定された前記第１の電子データが前記第２の電子データへのリンクデータであると判定された場合、前記第２の電子データを前記情報処理装置が取得可能か否かを判定する取得可否判定工程と、
ファイル処理手段が、前記取得可否判定工程により前記第２の電子データを前記情報処理装置が取得可能と判定された場合、前記第２の電子データを取得し、前記第１の電子データの代わりに前記第２の電子データを前記リモート記憶領域へコピーする、ファイル処理工程と、
を含むことを特徴とする情報処理装置の制御方法。
【請求項９】
通信ネットワークに接続された情報処理装置の制御方法であって、
指定手段が、ローカル記憶領域からリモート記憶領域へのコピーの対象となる第１の電子データを指定する指定工程と、
データ種別判定手段が、前記指定工程により指定された前記第１の電子データが、第２の電子データへのリンクデータであるかを判定するデータ種別判定工程と、
パス情報判定手段が、前記データ種別判定工程により、前記指定工程により指定された前記第１の電子データが、前記第２電子データへのリンクデータであると判定された場合、前記第２の電子データを格納するドライブがマウント済ネットワークドライブであるか否かを判定するパス情報判定工程と、
ファイル処理手段が、前記パス情報判定工程が前記第２の電子データを格納するドライブがマウント済ネットワークドライブであると判定した場合、前記第１の電子データに含まれるローカルパス情報を他の装置から参照可能なユニバーサルパス情報に変換することにより得られるリンクデータを前記リモート記憶領域へコピーし、前記パス情報判定工程が前記第２の電子データを格納するドライブがマウント済ネットワークドライブでないと判定した場合、前記第１の電子データの代わりに前記第２の電子データを前記リモート記憶領域へコピーする、ファイル処理工程と、
を含むことを特徴とする情報処理装置の制御方法。
【請求項１０】
通信ネットワークに接続された情報処理装置の制御方法であって、
指定手段が、ローカル記憶領域からリモート記憶領域へのコピーの対象となる第１の電子データを指定する指定工程と、
データ種別判定手段が、前記指定工程により指定された前記第１の電子データが、第２の電子データへのリンクデータを含む第１の構造化データであるかを判定するデータ種別判定工程と、
パス情報判定手段が、前記データ種別判定工程により、前記指定工程により指定された前記第１の電子データが、前記第２の電子データへのリンクデータを含む前記第１の構造化データであると判定された場合、前記第２の電子データを格納するドライブがマウント済ネットワークドライブであるか否かを判定するパス情報判定工程と、
ファイル処理手段が、前記パス情報判定工程が前記第２の電子データを格納するドライブがマウント済ネットワークドライブであると判定した場合、前記第１の構造化データに含まれるリンクデータのローカルパス情報を他の装置から参照可能なユニバーサルパス情報に変換することにより得られる電子データを前記リモート記憶領域へコピーし、前記パス情報判定工程が前記第２の電子データを格納するドライブがマウント済ネットワークドライブでないと判定した場合、前記第１の構造化データに含まれるリンクデータを前記第２の電子データに置換することにより得られる第２の構造化データを前記リモート記憶領域へコピーする、ファイル処理工程と、
を含むことを特徴とする情報処理装置の制御方法。
【請求項１１】
通信ネットワークに接続された情報処理装置の制御方法であって、
指定手段が、ローカル記憶領域からリモート記憶領域へのコピーの対象となる第１の電子データを指定する指定工程と、
データ種別判定手段が、前記指定工程により指定された前記第１の電子データが、第２の電子データへのリンクデータであるかを判定するデータ種別判定工程と、
共有判定手段が、前記データ種別判定工程が前記指定工程により指定された前記第１の電子データが前記第２の電子データへのリンクデータであると判定した場合、前記第２電子データを格納する記憶領域が前記通信ネットワークに接続した他の端末からアクセス可能な共有記憶領域であるか否かを判定する共有判定工程と、
ファイル処理手段が、前記共有判定工程が前記第２電子データを格納する記憶領域が共有記憶領域であると判定した場合、前記第１の電子データに含まれるローカルパス情報を他の装置から参照可能なユニバーサルパス情報に変換することにより得られるリンクデータを前記リモート記憶領域へコピーし、前記共有判定工程が前記第２電子データを格納する記憶領域が共有記憶領域でないと判定した場合、前記第１の電子データの代わりに前記第２の電子データを前記リモート記憶領域へコピーする、ファイル処理工程と、
を含むことを特徴とする情報処理装置の制御方法。
【請求項１２】
通信ネットワークに接続された情報処理装置の制御方法であって、
指定手段が、ローカル記憶領域からリモート記憶領域へのコピーの対象となる第１の電子データを指定する指定工程と、
データ種別判定手段が、前記指定工程により指定された前記第１の電子データが、第２の電子データへのリンクデータを含む第１の構造化データであるかを判定するデータ種別判定工程と、
共有判定手段が、前記データ種別判定工程が前記指定工程により指定された前記第１の電子データが前記第２の電子データへのリンクデータを含む第１の構造化データであると判定した場合、前記第２電子データを格納する記憶領域が前記通信ネットワークに接続した他の端末からアクセス可能な共有記憶領域であるか否かを判定する共有判定工程と、
ファイル処理手段が、前記共有判定工程が前記第２電子データを格納する記憶領域が共有記憶領域であると判定した場合、前記第１の構造化データに含まれるリンクデータのローカルパス情報を他の装置から参照可能なユニバーサルパス情報に変換することにより得られる電子データを前記リモート記憶領域へコピーし、前記共有判定工程が前記第２電子データを格納する記憶領域が共有記憶領域でないと判定した場合、前記第１の構造化データに含まれるリンクデータを前記第２の電子データに置換することにより得られる第２の構造化データを前記リモート記憶領域へコピーする、ファイル処理工程と、
を含むことを特徴とする情報処理装置の制御方法。